【手続補正書】
【提出日】平成20年2月13日(2008.2.13)
【手続補正１】
【補正対象書類名】明細書
【補正対象項目名】発明の名称
【補正方法】変更
【補正の内容】
【発明の名称】情報信号処理装置、情報信号処理方法、画像信号処理装置およびそれを使用した画像表示装置、それに使用される係数種データ生成装置、並びに情報提供媒体
【手続補正２】
【補正対象書類名】明細書
【補正対象項目名】特許請求の範囲
【補正方法】変更
【補正の内容】
【特許請求の範囲】
【請求項１】  複数の情報データからなる第１の情報信号を複数の情報データからなる第２の情報信号に変換する情報信号処理装置であって、
予め求められた推定式の係数データを生成する所定のパラメータを含む生成式の係数データである係数種データを記憶するメモリ手段と、
上記パラメータの値を入力するパラメータ入力手段と、
上記メモリ手段に記憶されている係数種データと上記パラメータ入力手段で入力された上記パラメータの値とを用いて上記生成式によって生成され、上記入力されたパラメータの値に対応した上記推定式の係数データを発生する係数データ発生手段と、
上記第１の情報信号から、上記第２の情報信号に係る注目点の周辺に位置する複数の情報データを選択するデータ選択手段と、
上記係数データ発生手段で発生された上記係数データと上記データ選択手段で選択された上記複数の情報データとから、上記推定式を用いて上記注目点の情報データを算出して得る演算手段と
を備えることを特徴とする情報信号処理装置。
【請求項２】  複数の情報データからなる第１の情報信号を複数の情報データからなる第２の情報信号に変換する情報信号処理装置であって、
上記第１の情報信号から、上記第２の情報信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記第２の情報信号によって得られる出力の質を決めるパラメータの値を調整するパラメータ調整手段と、
上記クラス検出手段で検出されるクラス毎に予め求められた、推定式の係数データを生成する上記パラメータを含む生成式の係数データである係数種データを記憶する第１のメモリ手段と、
上記第１のメモリ手段に記憶されている係数種データと上記パラメータ調整手段で調整された上記パラメータの値とを用いて上記生成式によって生成され、上記クラス検出手段で検出されたクラスおよび上記調整されたパラメータの値に対応した上記推定式の係数データを発生する係数データ発生手段と、
上記第１の情報信号から、上記第２の情報信号に係る注目点の周辺に位置する複数の第２の情報データを選択する第２のデータ選択手段と、
上記係数データ発生手段で発生された上記係数データと上記第２のデータ選択手段で選択された上記複数の第２の情報データとから、上記推定式を用いて上記注目点の情報データを算出して得る演算手段と
を備えることを特徴とする情報信号処理装置。
【請求項３】  上記係数データ発生手段は、
上記第１のメモリ手段に記憶されている係数種データと上記調整されたパラメータの値とを用い、上記生成式により、上記クラス検出手段で検出されるクラス毎に上記推定式の係数データを生成する係数データ生成手段と、
上記係数データ生成手段で生成された各クラスにおける上記推定式の係数データを記憶する第２のメモリ手段と、
上記第２のメモリ手段より上記クラス検出手段で検出されたクラスに対応した上記推定式の係数データを読み出して出力する係数データ読み出し手段と
を有してなることを特徴とする請求項２に記載の情報信号処理装置。
【請求項４】  上記係数データ発生手段で発生される上記推定式の係数データの総和を求める加算手段と、
上記演算手段で得られた上記注目点の情報データを上記総和で除算して正規化する正規化手段とをさらに備える
ことを特徴とする請求項２に記載の情報信号処理装置。
【請求項５】  上記パラメータ調整手段は、
上記パラメータの調整位置を表示する表示手段と、
上記表示手段の表示を参照して上記パラメータの値を調整するユーザ操作手段と
を有してなることを特徴とする請求項２に記載の情報信号処理装置。
【請求項６】  複数の画素データからなる第１の画像信号を複数の画素データからなる第２の画像信号に変換する画像信号処理装置であって、
上記第１の画像信号から、上記第２の画像信号に係る注目画素の周辺に位置する複数の第１の画素データを選択する第１のデータ選択手段と、
上記第１のデータ選択手段で選択された上記複数の第１の画素データに基づいて、上記注目画素が属するクラスを検出するクラス検出手段と、
上記第２の画像信号によって得られる画像の画質を決めるパラメータの値を調整するパラメータ調整手段と、
上記クラス検出手段で検出されるクラス毎に予め求められた、推定式の係数データを生成する上記パラメータを含む生成式の係数データである係数種データを記憶するメモリ手段と、
上記メモリ手段に記憶されている係数種データと上記パラメータ調整手段で調整された上記パラメータの値とを用いて上記生成式によって生成され、上記クラス検出手段で検出されたクラスおよび上記調整されたパラメータの値に対応した上記推定式の係数データを発生する係数データ発生手段と、
上記第１の画像信号から、上記第２の画像信号に係る注目画素の周辺に位置する複数の第２の画素データを選択する第２のデータ選択手段と、
上記係数データ発生手段で発生された上記係数データと上記第２のデータ選択手段で選択された上記複数の第２の画素データとから、上記推定式を用いて上記注目画素の画素データを算出して得る演算手段と
を備えることを特徴とする画像信号処理装置。
【請求項７】  複数の画素データからなる第１の画像信号を入力する画像信号入力手段と、
上記画像信号入力手段より入力された上記第１の画像信号を複数の画素データからなる第２の画像信号に変換して出力する画像信号処理手段と、
上記画像信号処理手段より出力される上記第２の画像信号による画像を画像表示素子に表示する画像表示手段と、
上記画像表示素子に表示される上記画像の画質を決めるパラメータの値を調整するパラメータ調整手段とを有してなり、
上記画像信号処理手段は、
上記第１の画像信号から、上記第２の画像信号に係る注目画素の周辺に位置する複数の第１の画素データを選択する第１のデータ選択手段と、
上記第１のデータ選択手段で選択された上記複数の第１の画素データに基づいて、上記注目画素が属するクラスを検出するクラス検出手段と、
上記クラス検出手段で検出されるクラス毎に予め求められた、推定式の係数データを生成する上記パラメータを含む生成式の係数データである係数種データを記憶する第１のメモリ手段と、
上記第１のメモリ手段に記憶されている係数種データと上記パラメータ調整手段で調整された上記パラメータの値とを用いて上記生成式によって生成され、上記クラス検出手段で検出されたクラスおよび上記パラメータの値に対応した上記推定式の係数データを発生する係数データ発生手段と、
上記第１の画像信号から、上記第２の画像信号に係る注目画素の周辺に位置する複数の第２の画素データを選択する第２のデータ選択手段と、
上記係数データ発生手段で発生された上記係数データと上記第２のデータ選択手段で選択された上記複数の第２の画素データとから、上記推定式を用いて上記注目画素の画素データを算出して得る演算手段とを備える
ことを特徴とする画像表示装置。
【請求項８】  複数の情報データからなる第１の情報信号を複数の情報データからなる第２の情報信号に変換する情報信号処理方法であって、
上記第１の情報信号から、上記第２の情報信号に係る注目点の周辺に位置する複数の第１の情報データを選択する第１のステップと、
上記第１のステップで選択された上記複数の第１の情報データに基づいて、上記注目点が属するクラスを検出する第２のステップと、
上記第２の情報信号によって得られる出力の質を決めるパラメータの値を調整する第３のステップと、
上記第２のステップで検出されるクラス毎に予め求められた、推定式の係数データを生成する上記パラメータを含む生成式の係数データである係数種データと上記第３のステップで調整された上記パラメータの値とを用いて、上記生成式により、上記第２のステップで検出されたクラスおよび上記調整されたパラメータの値に対応した上記推定式の係数データを生成する第４のステップと、
上記第１の情報信号から、上記第２の情報信号に係る注目点の周辺に位置する複数の第２の情報データを選択する第５のステップと、
上記第４のステップで生成された上記係数データと上記第５のステップで選択された上記複数の第２の情報データとから、上記推定式を用いて上記注目点の情報データを算出して得る第６のステップと
を備えることを特徴する情報信号処理方法。
【請求項９】  複数の情報データからなる第１の情報信号を複数の情報データからなる第２の情報信号に変換するために、
上記第１の情報信号から、上記第２の情報信号に係る注目点の周辺に位置する複数の第１の情報データを選択する第１のステップと、
上記第１のステップで選択された上記複数の第１の情報データに基づいて、上記注目点が属するクラスを検出する第２のステップと、
上記第２の情報信号によって得られる出力の質を決めるパラメータの値を調整する第３のステップと、
上記第２のステップで検出されるクラス毎に予め求められた、推定式の係数データを生成する上記パラメータを含む生成式の係数データである係数種データと上記第３のステップで調整された上記パラメータの値とを用いて、上記生成式により、上記第２のステップで検出されたクラスおよび上記パラメータの値に対応した上記推定式の係数データを生成する第４のステップと、
上記第１の情報信号から、上記第２の情報信号に係る注目点の周辺に位置する複数の第２の情報データを選択する第５のステップと、
上記第４のステップで生成された上記係数データと上記第５のステップで選択された上記複数の第２の情報データとから、上記推定式を用いて上記注目点の情報データを算出して得る第６のステップと
を実行するためのコンピュータプログラムを提供する情報提供媒体。
【請求項１０】  複数の情報データからなる第１の情報信号を複数の情報データからなる第２の情報信号に変換する情報信号処理装置であって、
上記第１の情報信号から、上記第２の情報信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記クラス検出手段で検出されるクラスに対応したパラメータを持ち、推定式の係数データを生成する生成式の係数データである係数種データを記憶する第１のメモリ手段と、
上記第１のメモリ手段に記憶されている係数種データと上記クラス検出手段で検出されるクラスの値とを用いて上記生成式によって生成され、上記クラス検出手段で検出されたクラスの値に対応した上記推定式の係数データを発生する係数データ発生手段と、
上記第１の情報信号から、上記第２の情報信号に係る注目点の周辺に位置する複数の第２の情報データを選択する第２のデータ選択手段と、
上記係数データ発生手段で発生された上記係数データと上記第２のデータ選択手段で選択された上記複数の第２の情報データとから、上記推定式を用いて上記注目点の情報データを算出して得る演算手段と
を備えることを特徴とする情報信号処理装置。
【請求項１１】  上記クラス検出手段に上記クラス分類の細かさを決めるパラメータの値を入力するパラメータ入力手段をさらに備える
ことを特徴とする請求項１０に記載の情報信号処理装置。
【請求項１２】  上記係数データ発生手段は、
上記第１のメモリ手段に記憶されている係数種データと上記入力されたパラメータの値とを用い、上記生成式により、上記クラス検出手段で検出されるクラス毎に上記推定式の係数データを生成する係数データ生成手段と、
上記係数データ生成手段で生成された各クラスにおける上記推定式の係数データを記憶する第２のメモリ手段と、
上記第２のメモリ手段より上記クラス検出手段で検出されたクラスに対応した上記推定式の係数データを読み出して出力する係数データ読み出し手段と
を有してなることを特徴とする請求項１１に記載の情報信号処理装置。
【請求項１３】  上記係数データ発生手段で発生される上記推定式の係数データの総和を求める加算手段と、
上記演算手段で得られた上記注目点の情報データを上記総和で除算して正規化する正規化手段とをさらに備える
ことを特徴とする請求項１０に記載の情報信号処理装置。
【請求項１４】  上記パラメータ入力手段は、
上記パラメータの値を表示する表示手段と、
上記表示手段の表示を参照して上記パラメータの値を調整するユーザ操作手段とを有してなる
ことを特徴とする請求項１１に記載の情報信号処理装置。
【請求項１５】  上記パラメータ入力手段は、
上記第１の情報信号から所定の特徴量を検出する特徴量検出手段を有し、
上記特徴量検出手段で検出された上記所定の特徴量に対応したパラメータの値を入力する
ことを特徴とする請求項１１に記載の情報信号処理装置。
【請求項１６】  上記パラメータ入力手段は、
上記第１の情報信号に含まれる上記パラメータの値の情報を抽出する情報抽出手段を有し、
上記情報抽出手段で抽出された情報で示されたパラメータの値を入力する
ことを特徴とする請求項１１に記載の情報信号処理装置。
【請求項１７】  複数の画素データからなる第１の画像信号を複数の画素データからなる第２の画像信号に変換する画像信号処理装置であって、
上記第１の画像信号から、上記第２の画像信号に係る注目画素の周辺に位置する複数の第１の画素データを選択する第１のデータ選択手段と、
上記第１のデータ選択手段で選択された上記複数の第１の画素データに基づいて、上記注目画素が属するクラスを検出するクラス検出手段と、
上記クラス検出手段で検出されるクラスに対応したパラメータを持ち、推定式の係数データを生成する生成式の係数データである係数種データを記憶するメモリ手段と、
上記メモリ手段に記憶されている係数種データと上記クラス検出手段で検出されるクラスの値とを用いて上記生成式によって生成され、上記クラス検出手段で検出されたクラスの値に対応した上記推定式の係数データを発生する係数データ発生手段と、
上記第１の画像信号から、上記第２の画像信号に係る注目画素の周辺に位置する複数の第２の画素データを選択する第２のデータ選択手段と、
上記係数データ発生手段で発生された上記係数データと上記第２のデータ選択手段で選択された上記複数の第２の画素データとから、上記推定式を用いて上記注目画素の画素データを算出して得る演算手段と
を備えることを特徴とする画像信号処理装置。
【請求項１８】  複数の画素データからなる第２の画像信号を入力する画像信号入力手段と、
上記画像信号入力手段で入力された上記第１の画像信号を複数の画素データからなる第２の画像信号に変換して出力する画像信号処理手段と、
上記画像信号処理手段から出力される上記第２の画像信号による画像を画像表示装置に表示する画像表示手段とを有してなり、
上記画像信号処理手段は、
上記第１の画像信号から、上記第２の画像信号に係る注目画素の周辺に位置する複数の第１の画素データを選択する第１のデータ選択手段と、
上記第１のデータ選択手段で選択された上記複数の第１の画素データに基づいて、上記注目画素が属するクラスを検出するクラス検出手段と、
上記クラス検出手段で検出されるクラスに対応したパラメータを持ち、推定式の係数データを生成する生成式の係数データである係数種データを記憶する第１のメモリ手段と、
上記第１のメモリ手段に記憶されている係数種データと上記クラス検出手段で検出されるクラスの値とを用いて上記生成式によって生成され、上記クラス検出手段で検出されたクラスの値に対応した上記推定式の係数データを発生する係数データ発生手段と、
上記第１の画像信号から、上記第２の画像信号に係る注目画素の周辺に位置する複数の第２の画素データを選択する第２のデータ選択手段と、
上記係数データ発生手段で発生された上記係数データと上記第２のデータ選択手段で選択された上記複数の第２の画素データとから、上記推定式を用いて上記注目画素の画素データを算出して得る演算手段とを備える
ことを特徴とする画像表示装置。
【請求項１９】  複数の情報データからなる第１の情報信号を複数の情報データからなる第２の情報信号に変換する情報信号処理方法であって、
上記第１の情報信号から、上記第２の情報信号に係る注目点の周辺に位置する複数の第１の情報データを選択する第１のステップと、
上記第１のステップで選択された上記複数の第１の情報データに基づいて、上記注目点が属するクラスを検出する第２のステップと、
上記第２のステップで検出されるクラスに対応したパラメータを持ち、推定式の係数データを生成する生成式の係数データである係数種データを用いて、上記生成式により、上記第２のステップで検出されたクラスの値に対応した上記推定式の係数データを生成する第３のステップと、
上記第１の情報信号から、上記第２の情報信号に係る注目点の周辺に位置する複数の第２の情報データを選択する第４のステップと、
上記第３のステップで生成された上記係数データと上記第４のステップで選択された上記複数の第２の情報データとから、上記推定式を用いて上記注目点の情報データを算出して得る第５のステップと
を備えることを特徴とする情報信号処理方法。
【請求項２０】  複数の情報データからなる第１の情報信号を複数の情報データからなる第２の情報信号に変換するために、
上記第１の情報信号から、上記第２の情報信号に係る注目点の周辺に位置する複数の第１の情報データを選択する第１のステップと、
上記第１のステップで選択された上記複数の第１の情報データに基づいて、上記注目点が属するクラスを検出する第２のステップと、
上記第２のステップで検出されるクラスに対応したパラメータを持ち、推定式の係数データを用いて、上記生成式により、上記第２のステップで検出されたクラスの値に対応した上記推定式の係数データを生成する第３のステップと、
上記第１の情報信号から、上記第２の情報信号に係る注目点の周辺に位置する複数の第２の情報データを選択する第４のステップと、
上記第３のステップで生成された上記係数データと上記第４のステップで選択された上記複数の第２の情報データとから、上記推定式を用いて上記注目点の情報データを算出して得る第５のステップと
を実行するコンピュータプログラムを提供する情報提供媒体。
【請求項２１】  複数の情報データからなる第１の情報信号を複数の情報データからなる第２の情報信号に変換する際に使用される推定式の係数データを生成するための生成式の係数データである係数種データを生成する装置であって、
上記第１の情報信号に対応する入力信号を得る信号処理手段と、
上記生成式に含まれるパラメータに対応し、上記入力信号によって得られる出力の質を決めるパラメータの値を調整するパラメータ調整手段と、
上記入力信号から、上記教師信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記入力信号から、上記教師信号に係る注目点の周辺に位置する複数の第２の情報データを選択する第２のデータ選択手段と、
上記クラス検出手段で検出されたクラス、上記第２のデータ選択手段で選択された上記複数の第２の情報データおよび上記教師信号に係る注目点の情報データから、クラス毎に、上記係数種データを得るための正規方程式を生成する正規方程式生成手段と、
上記正規方程式を解いて上記クラス毎に上記係数種データを得る係数種データ演算手段と
を備えることを特徴とする係数種データ生成装置。
【請求項２２】  複数の情報データからなる第１の情報信号を複数の情報データからなる第２の情報信号に変換する際に使用される推定式の係数データを生成するための生成式の係数データである係数種データを生成する装置であって、
上記第１の情報信号に対応する入力信号を得る信号処理手段と、
上記生成式に含まれるパラメータに対応し、上記入力信号によって得られる出力の質を決めるパラメータの値を調整するパラメータ調整手段と、
上記入力信号から、上記教師信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記入力信号から、上記教師信号に係る注目点の周辺に位置する複数の第２の情報データを選択する第２のデータ選択手段と、
上記クラス検出手段で検出されたクラス、上記第２のデータ選択手段で選択された上記複数の第２の情報データおよび上記教師信号に係る注目点の情報データから、上記クラス検出手段で検出されるクラスおよび上記パラメータ調整手段で調整されるパラメータの値の組み合わせ毎に上記推定式の係数データを得るための第１の正規方程式を生成する第１の正規方程式生成手段と、
上記第１の正規方程式を解いて、上記組み合わせ毎に上記推定式の係数データを得る係数データ演算手段と、
上記係数データ演算手段で得られた上記組み合わせ毎の係数データから、クラス毎に、上記係数種データを得るための第２の正規方程式を生成する第２の正規方程式生成手段と、
上記第２の正規方程式を解いて、上記クラス毎に上記係数種データを得る係数
種データ演算手段と
を備えることを特徴とする係数種データ生成装置。
【請求項２３】  複数の情報データからなる第１の情報信号を複数の情報データからなる第２の情報信号に変換する際に使用される推定式の係数データを生成する、上記第２の情報信号に対応した教師信号に係る注目点が属するクラスに対応したパラメータを持つ生成式の係数データである係数種データを生成する装置であって、
上記第１の情報信号に対応する入力信号を得る信号処理手段と、
上記入力信号から、上記教師信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記入力信号から、上記教師信号に係る注目点の周辺に位置する複数の第２の情報データを選択する第２のデータ選択手段と、
上記クラス検出手段で検出されたクラス、上記第２のデータ選択手段で選択された上記複数の第２の情報データおよび上記教師信号に係る注目点の情報データから、上記係数種データを得るための正規方程式を生成する正規方程式生成手段と、
上記正規方程式を解いて上記係数種データを得る係数種データ演算手段と
を備えることを特徴とする係数種データ生成装置。
【請求項２４】  複数の情報データからなる第１の情報信号を複数の情報データからなる第２の情報信号に変換する際に使用される推定式の係数データを生成する、上記第２の情報信号に対応した教師信号に係る注目点が属するクラスに対応したパラメータを持つ生成式の係数データである係数種データを生成する装置であって、
上記第１の情報信号に対応する入力信号を得る信号処理手段と、
上記入力信号から、上記教師信号に係る注目点の周辺に位置する複数の第１の情報データを選択する第１のデータ選択手段と、
上記第１のデータ選択手段で選択された上記複数の第１の情報データに基づいて、上記注目点が属するクラスを検出するクラス検出手段と、
上記入力信号から、上記教師信号に係る注目点の周辺に位置する複数の第２の情報データを選択する第２のデータ選択手段と、
上記クラス検出手段で検出されたクラス、上記第２のデータ選択手段で選択された上記複数の第２の情報データおよび上記教師信号に係る注目点の情報データから、上記クラス検出手段で検出されるクラス毎に上記推定式の係数データを得るための第１の正規方程式を生成する第１の正規方程式生成手段と、
上記第１の正規方程式を解いて、上記クラス毎に上記推定式の係数データを得る係数データ演算手段と、
上記係数データ演算手段で得られた上記クラス毎の係数データから、上記係数種データを得るための第２の正規方程式を生成する第２の正規方程式生成手段と、
上記第２の正規方程式を解いて、上記係数種データを得る係数種データ演算手段と
を備えることを特徴とする係数種データ生成装置。
【手続補正３】
【補正対象書類名】明細書
【補正対象項目名】０００９
【補正方法】削除
【補正の内容】
【手続補正４】
【補正対象書類名】明細書
【補正対象項目名】００２４
【補正方法】変更
【補正の内容】
【００２４】
また、この発明に係る情報信号処理装置は、複数の情報データからなる第１の情報信号を複数の情報データからなる第２の情報信号に変換する情報信号処理装置であって、第１の情報信号から第２の情報信号に係る注目点の周辺に位置する複数の第１の情報データを選択する第１のデータ選択手段と、この第１のデータ選択手段で選択された複数の第１の情報データに基づいて、注目点が属するクラスを検出するクラス検出手段と、このクラス検出手段で検出されるクラスに対応したパラメータを持ち、推定式の係数データを生成する生成式の係数データである係数種データを記憶する第１のメモリ手段と、この第１のメモリ手段に記憶されている係数種データとクラス検出手段で検出されるクラスの値とを用いて上記生成式によって生成され、クラス検出手段で検出されたクラスの値に対応した上記推定式の係数データを発生する係数データ発生手段と、第１の情報信号から第２の情報信号に係る注目点の周辺に位置する複数の第２の情報データを選択する第２のデータ選択手段と、係数データ発生手段で発生された係数データと第２のデータ選択手段で選択された複数の第２の情報データとから、上記推定式を用いて上記注目点の情報データを算出して得る演算手段とを備えるものである。
【手続補正５】
【補正対象書類名】明細書
【補正対象項目名】００３７
【補正方法】削除
【補正の内容】
【手続補正６】
【補正対象書類名】明細書
【補正対象項目名】００３８
【補正方法】削除
【補正の内容】
【手続補正７】
【補正対象書類名】明細書
【補正対象項目名】００４４
【補正方法】削除
【補正の内容】
【手続補正８】
【補正対象書類名】明細書
【補正対象項目名】００４５
【補正方法】削除
【補正の内容】
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】削除
【補正の内容】
【手続補正１１】
【補正対象書類名】明細書
【補正対象項目名】００５８
【補正方法】削除
【補正の内容】
【手続補正１２】
【補正対象書類名】明細書
【補正対象項目名】００５９
【補正方法】削除
【補正の内容】
【手続補正１３】
【補正対象書類名】図面
【補正対象項目名】図１６
【補正方法】変更
【補正の内容】
【図１６】
2002218414.tif 000001
【手続補正１４】
【補正対象書類名】図面
【補正対象項目名】図２１
【補正方法】変更
【補正の内容】
【図２１】
2002218414.tif 000002
【手続補正１５】
【補正対象書類名】図面
【補正対象項目名】図２７
【補正方法】変更
【補正の内容】
【図２７】
2002218414.tif 000003
【手続補正１６】
【補正対象書類名】図面
【補正対象項目名】図３２
【補正方法】変更
【補正の内容】
【図３２】
2002218414.tif 000004